(57)【要約】【課題】  キャンペーン期間の終了後に応募ハガキを回収する際に、回収過程の運搬や回収された後の保管の点で極めて効率が良く、また別途回収用の箱を用意する必要もない応募箱を提供する。【解決手段】  天板１２に投函口２を有する紙製の応募箱１であって、側板１３，１４，１５，１６に上半部と下半部とを分割し且つ底板に平行な山折り線６が設けられ、側板が山折されることにより側板の上半部が蓋に転換される応募箱。例えば、上記応募箱が底箱に蓋箱を被せてなる箱であり、四つの側板の上半部と下半部とを分割し且つ底板に平行な山折り線が設けられるとともに、対向する一組の側板において当該各側板の上辺と各側板の山折り線の両端とを結んで一つの直角二等辺三角形を形成するように谷折り線が設けられたもの。【選択図】      図１
2005267462.tif 000002
【特許請求の範囲】
【請求項１】
天板に投函口を有する紙製の応募箱であって、側板に上半部と下半部とを分割し且つ底板に平行な山折り線が設けられ、側板が山折されることにより側板の上半部が蓋に転換されることを特徴とする応募箱。
【請求項２】
上記応募箱が底箱に蓋箱を被せてなる箱であり、上記底箱の側板に上半部と下半部とを分割し且つ底板に平行な山折り線が設けられている請求項１記載の応募箱。
【請求項３】
四つの側板の上半部と下半部とを分割し且つ底板に平行な山折り線が設けられるとともに、対向する一組の側板において当該各側板の上辺と各側板の山折り線の両端とを結んで一つの直角二等辺三角形を形成するように谷折り線が設けられた請求項２記載の応募箱。
【請求項４】
四つの側板の上半部と下半部とを分割し且つ底板に平行な山折り線が設けられるとともに、対向する一組の側板において当該各側板の上辺と各側板の山折り線の両端とを結んで底角が４５°の等脚台形を形成するように谷折り線が設けられており、且つ谷折り線の設けられていない側板のうち少なくとも一方が他の側板より突出している請求項２記載の応募箱。
【請求項５】
上記谷折り線の設けられていない側板のうち少なくとも一方が、折り畳まれることにより対向する側板の上に重なり合わされるように突出している請求項３又は請求項４のいずれかに記載の応募箱。
【請求項６】
上記側板の重なり合う面のいずれかに粘着材層が設けられている請求項５記載の応募箱。
【発明の詳細な説明】
【技術分野】
【０００１】
本発明は、応募箱に関するものである。
【背景技術】
【０００２】
従来より、販売促進の一環として特定商品に懸けられた懸賞の募集が行なわれている。この懸賞に応募するには、通常、店頭に吊り下げてある応募ハガキに所定事項を記入するとともに、購入した商品が特定商品であることを証すシールやバーコードを商品から分離して指定枚数だけ貼り付けたり、商品に関するクイズに答えたりして、同じく店頭に設置された応募箱１に投函する。そして、投函された応募ハガキはキャンペーン期間の終了後に各店から回収されてチェーン本部のキャンペーン事務局などに集められ、抽選が行なわれる。
【０００３】
上記応募箱１０１は、懸賞の募集に関する印刷などが施されており、キャンペーン期間の終了後には速やかに撤去されるため、印刷及び廃棄の容易な段ボールなどで構成される。その形式としては上下に差込式の蓋がついている箱や差込式の蓋がついて組み底となっている箱などのいわゆるＢ式箱の天板１２に応募ハガキの投函口１０２がついているタイプが一般的であり、例えば下記の非特許文献１に開示されている（図１５、図１６参照）。
【非特許文献１】株式会社アースダンボール、“ダンボール箱の箱職人  段ボール箱製造販売”、［online］、株式会社アースダンボール（Earth Danball co.,ltd.）、ダンボール製作事例／Ｂ式箱バリエーション、［平成１６年３月１６日検索］、インターネット＜URL：http://www.bestcarton.com/guide/hakomihon/b_tohyo.html＞
【発明の開示】
【発明が解決しようとする課題】
【０００４】
しかし、従来の応募箱１０１は、キャンペーン期間の終了後に応募ハガキを回収する際に問題があった。
【０００５】
応募箱１０１は、実際に投函される応募ハガキの総容積に対して数倍以上大きくなるように深く設計されている。何故なら、応募箱１０１は、応募ハガキの収容がスムーズに行なわれるように投函口１０２から箱の内側に応募ハガキを落下させる必要があり、落下のためだけの空間を有するからである。また、応募ハガキを落下させた結果、応募箱１０１内の応募ハガキは無秩序に積み重なるため、その応募ハガキの山は嵩張った状態となるからである。このような応募箱１０１に応募ハガキを入れたままの回収は、応募箱１０１が場所をとるため、運搬や回収された後の保管の点で極めて効率が悪い。また、投函口１０２の大きさによっては運搬中などに応募ハガキを紛失する恐れもある。
【０００６】
また、応募ハガキを応募箱１０１に入れたまま回収するのではなく、別の小さな箱の中に応募ハガキの束を敷き詰めて回収すれば、上記の運搬および回収された後の保管上の問題は起きないが、わざわざ別の小さな箱を応募箱１０１の設置された各店で用意しなくてはならず、手間がかかる。
【０００７】
したがって、本発明の目的は、上記の問題点を解決し、キャンペーン期間の終了後に応募ハガキを回収する際に、回収過程の運搬や回収された後の保管の点で極めて効率が良く、また別途回収用の箱を用意する必要もない応募箱を提供することにある。
【課題を解決するための手段】
【０００８】
上記目的を達成するために、本発明は、天板に投函口を有する紙製の応募箱であって、側板に上半部と下半部とを分割し且つ底板に平行な山折り線が設けられ、側板が山折されることにより側板の上半部が蓋に転換されるように構成した。
【０００９】
上記構成において、上記応募箱が底箱に蓋箱を被せてなる箱であり、上記底箱の側板に上半部と下半部とを分割し且つ底板に平行な山折り線が設けられているように構成した。
【００１０】
また、上記被せ箱の構成において、四つの側板の上半部と下半部とを分割し且つ底板に平行な山折り線が設けられるとともに、対向する一組の側板において当該各側板の上辺と各側板の山折り線の両端とを結んで一つの直角二等辺三角形を形成するように谷折り線が設けられているように構成した。
【００１１】
また、上記被せ箱の構成において、四つの側板の上半部と下半部とを分割し且つ底板に平行な山折り線が設けられるとともに、対向する一組の側板において当該各側板の上辺と各側板の山折り線の両端とを結んで底角が４５°の等脚台形を形成するように谷折り線が設けられており、且つ谷折り線の設けられていない側板のうち少なくとも一方が他の側板より突出しているように構成した。
【００１２】
また、上記の折り線により直角二等辺三角形又は等脚台形を形成した構成において、上記谷折り線の設けられていない側板のうち少なくとも一方が、折り畳まれることにより対向する側板の上に重なり合わされるように突出しているように構成した。
【００１３】
また、上記側板の重なり合う面のいずれかに粘着材層が設けられているように構成した。
【発明の効果】
【００１４】
本発明の応募箱は、前記した構成及び作用からなるので、次の効果が奏される。
【００１５】
すなわち、本発明の応募箱は、側板に上半部と下半部とを分割し且つ底板に平行な山折り線が設けられ、側板が山折されることにより側板の上半部が蓋に転換されるので、キャンペーン期間の終了後に応募ハガキを回収する際に、応募ハガキの山を束にして底板上に敷き詰めた状態で折り畳むことによって応募ハガキを小さくまとめて包装することができる。したがって、場所をとらず、回収過程の運搬や回収された後の保管の点で極めて効率がよい。また、側板を用いて蓋をするので、運搬中などに応募ハガキを紛失する恐れもない。さらに、回収用にわざわざ別の小さな箱を応募箱の設置された各店で用意する必要がなく、手間もかからない。
【発明を実施するための最良の形態】
【００１６】
以下に、図を参照しながら本発明の実施形態に係る応募箱について詳細に説明する。なお、本明細書および図面中おいては、側板１３，１４，１５，１６の外面側から見た状態を基準として「山折り」及び「谷折り」を規定しており、折り線６は仮想線ではなく実際に形成されているものである。また、図中の折り線６のうち側板の裏側に設けられて又は他の側板に遮られて折り線６が見えない部分については側板を透視して描いている。
【００１７】
本発明の第一実施形態に係る応募箱１は、蓋のない底箱４（図３参照）に底のない蓋箱５（図２参照）を被せてなる天板１２に投函口２を有する紙製の箱であり（図４参照）、底箱４の側板１３，１４，１５，１６には折り線６が設けられている。
【００１８】
応募箱１に使用される紙は、「板紙」と呼ばれる厚い紙を用いるとよい。板紙は、主に白板紙、チップボール、黄色板紙、色板紙、段ボールなどがあり、厚さを持たせるために一般に３層から９層の多層構造となっている。
【００１９】
また、上記蓋箱５の下端には差込片９、上記底箱４には差込孔１０がそれぞれ設けられており、上記差込孔１０に差込片９を差込むことにより上記底箱４を上記蓋箱５に被せた状態でロックできる。この差込片９及び差込孔１０は省略することもできる。また、上記蓋箱５と上記底箱４とは深さが同じである必要はない。
【００２０】
上記底箱４における折り線６は、四つの側板１３，１４，１５，１６の上半部と下半部とを分割し且つ底板１７に平行に設けられた山折り線（図中点線）と、対向する一組の側板１３，１４において当該各側板１３，１４の上辺と各側板１３，１４の山折り線の両端とを結んで一つの直角二等辺三角形を形成するように設けられた谷折り線（図中一点鎖線）とである。これらの折り線６に沿って側板１３，１４，１５，１６の上半部を折り畳むと、次のようになる。まず、直角二等辺三角形を形成する谷折り線の設けられた側板１３，１４の上辺どうしを近付けるように力を加えると（図７参照）、谷折り線部分で谷折り、山折り線部分で山折りがそれぞれ開始する（図１参照）。さらに折り畳みを続けると、最終的に側板１５，１６の上半部により底箱４に蓋がされる（図９参照）。なお、上記直角二等辺三角形には略直角二等辺三角形のものも含まれる。また、本発明において「上半部」および「下半部」とは、側板を上下に１／２づつに分けたものではなく、その境界は底板１７から任意の位置に設定される。
【００２１】
また、上記谷折り線の設けられていない側板１５，１６のうち一方の側板１５が、折り畳むことにより対向する側板１６と重なり合うように突出部７を形成しているので（図１，図３，図７，図９参照）、この重なり合う面において接着を行ない、封緘することができる。
【００２２】
上記接着は、折り畳み時に接着剤を塗布することができるが、好ましくは両面テープ８などの粘着材層をあらかじめ設けておくとよい。図８に示すように、粘着材層を保護するセパレ−タ８ｂを剥離して糊面８ａを露出させるだけでよいので、折り畳み時に接着剤を準備する手間が省けるからである。
【００２３】
本発明の応募箱１についても、従来技術と同様に、実際に投函される応募ハガキ３の総容積に対して数倍以上大きくなるように深く設計されているため、投函口２から箱の内側に応募ハガキ３を落下させることができ、応募ハガキ３の収容がスムーズに行なわれる。そして、応募ハガキを落下させた結果、応募箱１内の応募ハガキ３は無秩序に積み重なるため、その応募ハガキ３の山は嵩張った状態となっている（図５参照）。
【００２４】
しかし、本発明の応募箱１は、従来技術と異なり、側板１３，１４，１５，１６に底板１７より一定の深さを残して折り畳み且つ蓋をすることの可能な折り線６が設けられているので、キャンペーン期間の終了後に応募ハガキ３を回収する際に、応募ハガキ３の山を束にして底板１７上に敷き詰めた状態（図６参照）で折り畳むことによって応募ハガキ３を小さくまとめて包装することができる（図９参照）。したがって、場所をとらず、回収過程の運搬や回収された後の保管の点で極めて効率がよい。また、側板１３，１４，１５，１６を用いて蓋をするので、運搬中などに応募ハガキを紛失する恐れもない。さらに、回収用にわざわざ別の小さな箱を応募箱１の設置された各店で用意する必要がなく、手間もかからない。
【００２５】
以上、図１に示される応募箱１について述べたが、本発明の応募箱の構成は、前記した実施形態に限定されるものではない。
【００２６】
たとえば、上記実施形態では、上記谷折り線の設けられていない側板１５，１６のうち一方のみが突出部７を有していたが、上記谷折り線の設けられていない側板１５，１６の両方とも突出部７を有していてもよい。
【００２７】
また、上記谷折り線の設けられていない側板１５，１６のいずれも突出部７を有さないようにしてもよい（図１０参照）。その場合、側板１５，１６どうしが重なり合わないないので、側板１５，１６の上から粘着テープなどで封緘する。
【００２８】
また、上記底箱４の上記折り線６が、四つの側板１３，１４，１５，１６の上半部と下半部とを分割し且つ底板１７に平行に設けられた山折り線と、対向する一組の側板１３，１４において当該各側板１３，１４の上辺と各側板１３，１４の山折り線の両端とを結んで底角が４５°の等脚台形を形成するように設けられた谷折り線とであり、且つ上記谷折り線の設けられていない側板１５，１６のうち少なくとも一方が他の側板より突出しているように構成してもよい（図１４参照）。
【００２９】
また、上記底箱４の上記折り線６が、四つの側板１３，１４，１５，１６の上半部と下半部とを分割し且つ底板１７に平行に設けられた山折り線のみであってもよい（図１１参照）。この図に示す構成の場合、四つの側板１３，１４，１５，１６間の綾部分に山折り線と交わる位置まで上端から溝切り１１が施されており、底箱４の折り畳み時には、側板１３，１４，１５，１６の上半部がフラップとして働いて蓋をすることになる（図１２参照）。
【００３０】
さらに、本発明の応募箱１は、底箱４に蓋箱５を被せてなる箱以外であってもよい。たとえば、従来技術と同様の天板１２が一体化された箱において、上記底箱４の折り畳みと同様の手段を適用してもよい（図１３参照）。この場合、折り畳み時には側板によって新たに蓋をするので、折り畳み前からある天板１２は除去しても構わない。また、除去しやすいようにあらかじめミシン目などを入れておいてもよい。
【００３１】
また、本発明の応募箱１は、回収する箱の側板または底板の外面に最初から宅配伝票１８などを貼付けたり、送り先を印刷しておいてもよい（図９参照）。こうすることにより回収時の手間がさらに省ける。
【００３２】
また、本発明の応募箱１は、応募ハガキを投函するものに限定されず、応募用紙を投函するものでもよい。また、投票用紙の投票箱やアンケート用紙の回収箱などに本発明を用いてもよい。
【実施例１】
【００３３】
本発明の第一実施形態に係る応募箱１は、縦横１８０ｍｍ、深さ１３０ｍｍ蓋のない底箱４（図３参照）に底のない縦横１８５ｍｍ、高さ１６５ｍｍの蓋箱５（図２参照）を被せてなる天板１２に長さ１０５ｍｍ、幅２５ｍｍの投函口２を有する１ｍｍ厚の段ボール製の箱であり（図４参照）、底箱４の側板１３，１４，１５，１６に底板１７より４５ｍｍの深さを残して折り畳み且つ蓋をすることの可能な折り線６が設けられている。なお、上記蓋箱５の下端には差込片９、上記底箱４には差込孔１０がそれぞれ長さ４０ｍｍで設けられており、上記差込孔１０に差込片９を差込むことにより上記底箱４を上記蓋箱５に被せた状態でロックされている。
【００３４】
上記底箱４における折り線６は、四つの側板１３，１４，１５，１６の上半部と下半部とを分割し且つ底板１７に平行に設けられた山折り線（図中点線）と、対向する一組の側板１３，１４において当該各側板１３，１４の上辺と各側板１３，１４の山折り線の両端とを結んで一つの直角二等辺三角形を形成するように設けられた谷折り線（図中一点鎖線）とである。
【００３５】
また、上記谷折り線の設けられていない側板１５，１６のうち一方の側板１５が、折り畳むことにより対向する側板１６と重なり合うように３５ｍｍの突出部７を形成しており、その突出部７の内面には幅２０ｍｍの両面テープが設けられている。また、側板１５の外面には回収先の印刷された宅配伝票１８があらかじめ貼付けられている。
【００３６】
このようにして得られた応募箱１は、キャンペーン期間の終了後に応募ハガキ３を回収する際に、応募ハガキ３の山を束にして底板１７上に敷き詰めた状態（図６参照）で両面テープ８のセパレータ８ｂを剥離し、底箱４を折り畳むことによって応募ハガキ３を小さくまとめて包装することができる（図９参照）。したがって、場所をとらず、回収過程の運搬や回収された後の保管の点で極めて効率がよい。また、側板を用いて蓋をするので、運搬中などに応募ハガキを紛失する恐れもない。さらに、回収用にわざわざ別の小さな箱を応募箱の設置された各店で用意する必要がなく、手間もかからない。
【図面の簡単な説明】
【００３７】
【図１】本発明の第１実施形態に係る応募箱の底箱の折り畳みの様子を示す図である。
【図２】本発明の第１実施形態に係る応募箱の蓋箱を示す図である。
【図３】本発明の第１実施形態に係る応募箱の底箱を示す図である。
【図４】本発明の第１実施形態に係る応募箱の組み立ての様子を示す図である。
【図５】本発明の第１実施形態に係る応募箱の応募ハガキ収容時の様子を示す図である。
【図６】本発明の第１実施形態に係る応募箱の応募ハガキ回収時の様子を示す図である。
【図７】本発明の第１実施形態に係る応募箱の底箱の折り畳みの様子を示す図である。
【図８】本発明の第１実施形態に係る応募箱の底箱の折り畳みの様子を示す図である。
【図９】本発明の第１実施形態に係る応募箱の底箱の折り畳みの様子を示す図である。
【図１０】本発明の他の実施形態に係る応募箱の底箱の折り畳みの様子を示す図である。
【図１１】本発明の他の実施形態に係る応募箱の底箱の折り畳みの様子を示す図である。
【図１２】本発明の他の実施形態に係る応募箱の底箱の折り畳みの様子を示す図である。
【図１３】本発明の他の実施形態に係る応募箱の底箱の折り畳みの様子を示す図である。
【図１４】本発明の他の実施形態に係る応募箱の底箱を示す図である。
【図１５】従来技術に係る応募箱を示す図である。
【図１６】従来技術に係る応募箱を示す図である。
【符号の説明】
【００３８】
１  応募箱
２  投函口
３  応募ハガキ
４  底箱
５  蓋箱
６  折り線
７  糊代
８  両面テープ
８ａ  糊面
８ｂ  セパレータ
９  差込片
１０  差込孔
１１  溝切り
１２  天板
１３  側板
１４  側板
１５  側板
１６  側板
１７  底板
１８  宅配伝票
１０１  応募箱
１０２  投函口
【図１】
2005267462.tif 000003
【図２】
2005267462.tif 000004
【図３】
2005267462.tif 000005
【図４】
2005267462.tif 000006
【図５】
2005267462.tif 000007
【図６】
2005267462.tif 000008
【図７】
2005267462.tif 000009
【図８】
2005267462.tif 000010
【図９】
2005267462.tif 000011
【図１０】
2005267462.tif 000012
【図１１】
2005267462.tif 000013
【図１２】
2005267462.tif 000014
【図１３】
2005267462.tif 000015
【図１４】
2005267462.tif 000016
【図１５】
2005267462.tif 000017
【図１６】
2005267462.tif 000018